(57)【要約】      （修正有）【課題】警報等の目的で発光する発光手段が発光している状態を見落とし難い入浴装置を提供する。【解決手段】入浴装置は、浴槽１２と、浴槽１２に設けられる発光手段３２ａと、発光手段３２ａが浴槽１２から突出する量を変動させる突出量変動手段３３ａと、を備える。また、前記入浴装置は、注意を喚起すべき状態が発生したか否かを判断する判断手段を備え、前記判断手段の判断結果に応じて、前記発光手段の、発光状態、及び、前記浴槽からの突出量が変わる。【選択図】図４
2014233464.tif 000002
【特許請求の範囲】
【請求項１】
浴槽と、
前記浴槽に設けられる発光手段と、
前記発光手段が前記浴槽から突出する量を変動させる突出量変動手段と、
を備えることを特徴とする入浴装置。
【請求項２】
注意を喚起すべき状態が発生したか否かを判断する判断手段を備え、
前記判断手段の判断結果に応じて、前記発光手段の、発光状態、及び、前記浴槽からの突出量が変わることを特徴とする請求項１に記載の入浴装置。
【請求項３】
前記判断手段によって、前記注意を喚起すべき状態が発生したと判断された場合に、前記発光手段は、発光した状態にされるとともに前記浴槽から突出した状態にされ、
前記判断手段によって、前記注意を喚起すべき状態が発生していないと判断される場合に、前記発光手段は、発光していない状態にされるとともに前記浴槽から突出していない状態にされることを特徴とする請求項２に記載の入浴装置。
【請求項４】
前記発光手段は、前記浴槽の周縁部の上面から突出するように設けられていることを特徴とする請求項１から３のいずれかに記載の入浴装置。
【請求項５】
前記浴槽は、上面視略矩形状に設けられ、
前記発光手段は、前記浴槽の周縁部の長手方向に沿う部分に設けられていることを特徴とする請求項４に記載の入浴装置。
【発明の詳細な説明】
【技術分野】
【０００１】
本発明は、体が不自由で介助が必要な者（以下、要介助者と記載する）を入浴させる際に使用される入浴装置に好適な技術に関する。
【背景技術】
【０００２】
従来、要介助者を入浴させるために使用される様々な入浴装置が開発されている。入浴装置の中には、例えば入浴者（要介助者）が火傷等を負わないように、例えば音声や光等を用いて介助者に湯温の確認を促したり、湯温の異常を知らせたりする機能（報知機能や警報機能）を備えたものがある（例えば、特許文献１や２参照）。
【０００３】
従来においては、例えば介助者等に警告や確認を促す手段として表示灯が使用される場合、当該表示灯は、例えば浴槽の周縁部上面に埋め込み配置されたり、操作パネルが設けられる部分に埋め込み配置されたりしている。
【先行技術文献】
【特許文献】
【０００４】
【特許文献１】特開平１１−３４７０９１号公報
【特許文献２】特開２００６−２３０４５７号公報
【発明の概要】
【発明が解決しようとする課題】
【０００５】
例えば浴槽の周縁部に埋め込み配置された表示灯は、通常、上向きに光を照射することになるので光の照射範囲が狭くなり、注意を喚起する手段として必ずしも十分とは言えない。
【０００６】
一方、操作パネルが設けられる部分に埋め込まれる表示灯は、通常、操作パネルが視認性の良さを確保できるように設けられている（例えば操作パネルが設けられる面は傾斜構造になっている）ために、点灯状態の確認を行い易い。しかしながら、例えば入浴用担架に載せた要介助者を浴槽に移動させる場合等において、入浴用担架や要介助者が邪魔になって、表示灯が見え難いことがある。表示灯は、注意を喚起することを目的に設けられるものであり、常に見易い状態にあることが望ましい。すなわち、表示灯の配置方式について、改善の余地が認められる。
【０００７】
例えば、表示灯が浴槽の周縁部上面から飛び出している構成とすることが考えられる。このようにすれば、表示灯によって照らされる範囲が拡がり、表示灯が点灯した状態を確認し易くなる。しかしながら、入浴装置を用いて要介助者を入浴させる場合、要介助者は、入浴用担架や入浴用椅子に載せられた状態で浴槽に移動されることが多い。このために、浴槽周縁部から表示灯が飛び出していると、表示灯が入浴用担架等の移動の際に邪魔になることが懸念される。また、浴槽の周縁部から表示灯が飛び出していると、そこに体の一部が接触して怪我が発生することや、デザイン面において好ましくないといった懸念事項もある。
【０００８】
以上の点に鑑みて、本発明の目的は、警報等の目的で発光する発光手段が発光している状態を見落とし難い入浴装置を提供することである。また、本発明の他の目的は、前述の目的を達成しつつ、使い勝手の良さやデザインの良さを確保し易い入浴装置を提供することである。
【課題を解決するための手段】
【０００９】
上記目的を達成するために本発明の入浴装置は、浴槽と、前記浴槽に設けられる発光手段と、前記発光手段が前記浴槽から突出する量を変動させる突出量変動手段と、を備える構成（第１の構成）になっている。
【００１０】
本構成によれば、突出量変動手段によって発光手段が浴槽から突出する量を変動させることができる。このために、発光手段（発光した状態）を目立たせたい場合に浴槽からの突出量を大きくし、発光手段を目立たせたくない場合に発光手段の突出量を小さくするといったことができる。すなわち、本構成によれば、発光手段が発光している状態を見落とし難くしつつ、使い勝手の良さやデザインの良さを確保し易い。
【００１１】
上記第１の構成の入浴装置は、注意を喚起すべき状態が発生したか否かを判断する判断手段を備え、前記判断手段の判断結果に応じて、前記発光手段の、発光状態、及び、前記浴槽からの突出量が変わる構成（第２の構成）であるのが好ましい。本構成によれば、発光手段を用いて、介助者に対して注意を喚起すべき状態が発生していることを適切に伝えることが可能である。すなわち、本構成の入浴装置によれば、要介助者を入浴させる際に事故が発生する可能性を低減できる。なお、注意を喚起すべき状態としては、例えば、浴槽内の湯温の異常、給湯温度の異常、入浴装置とストレッチャーとの連結異常等が挙げられる。
【００１２】
上記第２の構成の入浴装置において、前記判断手段によって、前記注意を喚起すべき状態が発生したと判断された場合に、前記発光手段は、発光した状態にされるとともに前記浴槽から突出した状態にされ、前記判断手段によって、前記注意を喚起すべき状態が発生していないと判断される場合に、前記発光手段は、発光していない状態にされるとともに前記浴槽から突出していない状態にされる構成（第３の構成）であるのが好ましい。本構成によれば、必要がない場合には、発光手段は浴槽に埋め込まれた状態になる。このために、本構成によれば、発光手段が邪魔になったり、発光手段によって怪我をしたりする可能性が低く、更には、浴槽のデザインの良さも確保し易い。なお、発光した状態には、単なる点灯状態の他、発光と無発光とが短時間で繰り返される点滅状態や、発光の向きが回転する点灯状態等も含まれる趣旨である。
【００１３】
上記第１から第３のいずれかの構成の入浴装置において、前記発光手段は、前記浴槽の周縁部の上面から突出するように設けられている構成（第４の構成）が好ましい。本構成によれば、発光手段から発光される光を目立たせ易い。
【００１４】
上記第４の構成の入浴装置において、前記浴槽は、上面視略矩形状に設けられ、前記発光手段は、前記浴槽の周縁部の長手方向に沿う部分に設けられている構成（第５の構成）であってよい。本構成によれば、発光手段によって発光される光を目立たせることができる。
【００１５】
例えば、浴槽の長手方向の２つの側面の一方側に、ストレッチャーが横付けされて使用される構成の場合、ストレッチャーが横付けされない側の側面に発光手段が配置されればよい。このように構成することで、発光手段による発光を目立たせ易い。また、例えば、浴槽の長手方向の２つの側面の両側に、ストレッチャーの横付けが可能に設けられている場合には、２つの側面の両方に発光手段が設けられるようして、ストレッチャーがいずれに横付けされているかによって、使用する発光手段を使い分けるようにするのが好ましい。このように構成することで、発光手段による発光を目立たせ易く、一方で、発光手段が邪魔になることもない。
【発明の効果】
【００１６】
本発明によれば、警報等の目的で発光する発光手段が発光している状態を見落とし難い入浴装置を提供できる。また、本発明によれば、前述の効果を達成しつつ、使い勝手の良さやデザインの良さを確保し易い入浴装置を提供できる。
【図面の簡単な説明】
【００１７】
【図１】本発明の実施形態に係る入浴装置の構成を示す概略斜視図
【図２】本発明の実施形態に係る入浴装置と対になって使用されるストレッチャーの構成を示す概略斜視図
【図３】本発明の実施形態に係る入浴装置が備える報知システムの構成を示すブロック図
【図４】本発明の実施形態に係る入浴装置が備える表示灯とソレノイドとの関係を示す概略断面図
【図５】本発明の実施形態に係る入浴装置において、表示灯を、浴槽の周縁部の長手方向に沿った２つの部分に別々に設ける理由を説明するための図
【発明を実施するための形態】
【００１８】
以下、本発明の実施形態に係る入浴装置について、図面を参照しながら詳細に説明する。
【００１９】
図１は、本発明の実施形態に係る入浴装置１の構成を示す概略斜視図である。入浴装置１は、床に固定配置される架台１１と、この架台１１に対して昇降可能（Ｚ方向に移動可能）に設けられる浴槽１２とを備えている。架台１１及び浴槽１２の外形は、上面視略矩形状に設けられている。架台１１の中央寄りには、支柱１３が立設されている。この支柱１３は、浴槽１２の底部を液密に貫通している。浴槽１２は、不図示の昇降機構によって、支柱１３に沿って自動的に昇降可能になっている。
【００２０】
なお、浴槽１２を昇降させる昇降機構は、特に限定されるものではないが、例えば電動機を利用して作動する油圧装置（油圧シリンダやポンプを含む）によって構成されてよい。
【００２１】
支柱１３の上端には、上面視略矩形状の支持台１４が水平となるように固定されている。支持台１４の長手方向（Ｘ方向）の両端部には、それぞれ、浴槽１２の短手方向（Ｙ方向）に水平に延びるガイドレール１５が設けられている。一対のガイドレール１５、１５は、同一の高さ位置に、平行となるように配置されている。
【００２２】
架台１１の長手方向（Ｘ方向）に略平行な２つの側面の下方には、それぞれ、浴槽１２に横付けされるストレッチャー（詳細は後述する）を位置決め配置できるように、一対の位置決め穴１６、１６が形成されている。また、架台１１の、一対の位置決め穴１６、１６の間には、ストレッチャーを連結するための連結部１７が設けられている。なお、連結部１７も両側面に設けられており、入浴装置１は合計２つの連結部１７を有している。連結部１７の上面には貫通孔１７ａが設けられ、連結部１７の内部にはマイクロスイッチ（不図示）が配置されている。このマイクロスイッチは、当該入浴装置１とストレッチャーとの連結を検知する連結検知手段として機能する。
【００２３】
浴槽１２の開口１２ａを取り囲む周縁部１２１の、短手方向（Ｙ方向）に沿った２つの部分の一方側（浴槽１２の長手方向の一端部側）の上面には、介助者等が当該入浴装置１に対する指示を入力するための操作部１８が設けられている。操作部１８には、入力キーや表示部（例えば温度表示等を行う）が含まれている。周縁部１２１の、操作部１８が設けられる部分は傾斜構造を有しており、介助者等から操作部１８が見易くなっている。
【００２４】
また、浴槽１２の周縁部１２１の長手方向（Ｘ方向）に沿った２つの部分（浴槽１２の長手方向の２つの側壁）には、それぞれ、その上面に開口部１９ａ、１９ｂが形成されている。この開口部１９ａ、１９ｂ内には、詳細は後述する表示灯等が配置されている。その他、入浴装置１には、入浴の際に湯を溜めるための給湯設備やシャワー等が備えられている。
【００２５】
図２は、本発明の実施形態に係る入浴装置１と対になって使用されるストレッチャー（移送車）２の構成を示す概略斜視図である。なお、図２に示すストレッチャー２は、図１に示す入浴装置１の、長手方向に略平行な２つの側面のうちの、手前側ではなく奥側に横付けされるストレッチャーである。
【００２６】
ストレッチャー２は、その下部に４つの車輪２０ａ〜２０ｄが配置される下フレーム２１を備える。下フレーム２１の上部には、昇降機構２２によって昇降可能に設けられる上フレーム２３が設けられている。昇降機構２２は、Ｘリンク２２１と、Ｘリンク２２１を動作させる動力源である電動シリンダー２２２とを含む。上フレーム２３上には、上フレーム２３と分離可能に設けられる担架部（入浴用担架）２４が配置されている。
【００２７】
上フレーム２３には、短手方向（Ｙ方向）に延びる一対のガイドレール（不図示）が設けられている。一対のガイドレールのレール間隔は、入浴装置１に設けられる一対のガイドレール１５、１５のレール間隔と同一である。担架部２４には、上フレーム２３に設けられる一対のガイドレールに沿って当該担架部２４の移動を可能とするローラー２５が複数設けられている。すなわち、担架部２４は、一対のガイドレールに沿って移動することにより、上フレーム２３と分離できるようになっている。
【００２８】
昇降機構２２及び上フレーム２３は、当該ストレッチャー２が入浴装置１に横付けされる面側と反対面側寄りに配置されている。また、当該ストレッチャー２が入浴装置１に横付けされる面側の２つの車輪２０ａ、２０ｂは、下フレーム２１の昇降機構２２が配置されるフレーム部分から突出するフレーム部分に設けられている。このように構成されているために、２つの車輪２０ａ、２０ｂがそれぞれ位置決め穴１６内に挿入された状態で、上フレーム２３上に配置される担架部２４は、浴槽１２内にある一対のガイドレール１５、１５に近づけることができる。すなわち、入浴装置１とストレッチャー２との間で、担架部２４の授受がスムーズに行える。
【００２９】
下フレーム２１の略中央には、短手方向（Ｙ方向）に延びる操作バー２６が揺動可能に取り付けられている。操作バー２６の一端には接続ピン２７が取り付けられ、他端にはペダル２８が取り付けられている。操作バー２６は、不図示の付勢部材によって、接続ピン２７が下方側に下がるように付勢された状態になっている。
【００３０】
ストレッチャー２が入浴装置１に接近して、２つの車輪２０ａ、２０ｂがそれぞれ位置決め穴１６内に所定量だけ挿入されると、接続ピン２７が、入浴装置１の連結部１７の貫通孔１７ａに嵌入する。この際、接続ピン２７が連結部１７に内蔵されるマイクロスイッチ（連結検知手段）をオンするために、ストレッチャー２が入浴装置１に連結されたことが確認できる。なお、入浴装置１とストレッチャー２との連結は、ペダル２８を踏んで接続ピン２７を持ち上げることによって解除できる。
【００３１】
その他、担架部２４には、入浴者が頭を載せるヘッドレスト２４１、入浴者が掴まる手すり２４２、入浴者の脱落を防止するサイドフェンス２４３等が設けられている。
【００３２】
ここで、入浴装置１とストレッチャー２とを利用して、要介助者を入浴させる際の流れ（あくまでも一例である）について、簡単に説明しておく。
【００３３】
まず、介助者が、例えばベッド等に載っている要介助者（入浴者）を、ストレッチャー２の担架部２４に移乗する。この際、担架部２４の高さ位置は昇降機構２２によって適宜調整される。介助者は、要介助者（入浴者）が載せられたストレッチャー２を、入浴装置１が設置された浴室に運ぶ。
【００３４】
介助者は、ストレッチャー２の一方面側の車輪２０ａ、２０ｂを、それぞれ、入浴装置１の側面に設けられる位置決め穴１６に挿入する。これに伴い、ストレッチャー２が位置決めされて、入浴装置１とストレッチャー２との連結が完了する。連結は、上述のように、接続ピン２７が連結部１７の貫通孔１７ａに嵌入されることによって達成される。
【００３５】
次に、介助者がリモコン操作等を行って上フレーム２３を昇降させて、ストレッチャー２側のガイドレール（不図示）が、入浴装置１側のガイドレール１５の高さ位置と合うようにする。介助者は、当該高さ合わせが終了すると、ガイドレール上を移動させながら、担架部２４をストレッチャー２から入浴装置１（支持台１４）側へと移動させる。
【００３６】
この後、介助者は、操作部１８を操作して、浴槽１２を支柱１３に沿って上昇させる。浴槽１２の上昇により、担架部２４を浴槽１２の中に位置させて、要介助者を浴槽１２内の湯に浸からせることができる。なお、浴槽１２内の湯は、浴槽１２を上昇させる前に溜めておいてもよいし、場合によっては上昇させた後に溜めてもよい。また、入浴が済むと、以上の動作と逆の動作が行われて、要介助者は入浴装置１からストレッチャー２へと移される。
【００３７】
ところで、例えば、入浴装置１に溜められた湯の温度が熱すぎる場合には、入浴者を浴槽１２内の湯に浸からせるべきではない。また、例えば、入浴者が湯に浸かっている途中で、差し湯が行われる場合に、当該差し湯が熱すぎる場合には差し湯を行うべきではない。また、例えば、入浴装置１とストレッチャー２との連結が完了していない場合には、担架部２４の移動が行われるべきではない。すなわち、これらの状態（あくまでも例示にすぎない）が発生している場合には、介助者に注意を喚起すべきである。このような点を考慮して、本実施形態の入浴装置１には、介助者に注意を喚起すべき状態が発生した場合に、表示灯を光らせて介助者に報知する構成になっている。
【００３８】
図３は、本発明の実施形態に係る入浴装置１が備える報知システム３の構成を示すブロック図である。図３に示すように、警告等を報知する報知システム３は、大きくは、検知部３０と、判断部３１と、発光部３２と、突出量変動部３３と、を備えている。
【００３９】
検知部３０には、温度センサ３０１及び連結検知センサ３０２が含まれている。温度センサ３０１は、浴槽１２内の湯温を測定する目的、及び／又は、給湯温度を測定する目的で設けられるものであってよい。温度センサ３０１は、複数設けられてもよいし、単数であってもよい。連結検知センサ３０２は、上述した連結部１７に内蔵されるマイクロスイッチが該当する。本実施形態では、入浴装置１の長手方向の２つの側面のそれぞれに連結部１７が設けられるために、連結検知センサ３０２には、第１のマイクロスイッチ３０２ａと、第２のマイクロスイッチ３０２ｂとの２つが含まれている。検知部３０は、介助者に対して注意を喚起すべき状態が発生していることを検知可能とする部分である。
【００４０】
判断部３１は、検知部３０から得られる情報に基づいて、介助者に対して注意を喚起すべき状態が発生しているか否かを判断する部分である。判断部３１は、例えばマイコンで構成されてよい。判断部３１は、判断結果に基づいて、発光部３２及び突出量変動部３３の制御を行う。例えば、温度センサ３０１から得られる温度が、メモリ（不図示）に記憶される所定の温度より高い場合には、判断部３１は注意を喚起すべき状態が発生していると判断する。また、例えば、連結検知センサ３０２によって入浴装置１とストレッチャー２との連結が外れたことが検知された場合には、判断部３１は注意を喚起すべき状態が発生していると判断する。
【００４１】
発光部３２には、第１の表示灯３２ａと、第２の表示灯３２ｂとが含まれている。表示灯３２ａ、３２ｂは、例えばＬＥＤ（Light Emitting Diode；発光ダイオード）ランプ等であってよい。判断部３１によって、注意を喚起すべき状態が発生していると判断された場合には、第１の表示灯３２ａ又は第２の表示灯３２ｂが発光した状態とされる。なお、発光した状態は、単なる点灯状態であってもよいし、光が点滅した状態や、発光の向きが回転される点灯状態（回転灯として動作している状態）等であってもよい。判断部３１によって、注意を喚起すべき状態が発生していないと判断された場合には、第１の表示灯３２ａ及び第２の表示灯３２ｂは発光した状態にならない。
【００４２】
突出量変動部３３には、発光部３２に２つの表示灯３２ａ、３２ｂが含まれることに対応して、第１のソレノイド３３ａと、第２のソレノイド３３ｂとが含まれている。判断部３１によって、注意を喚起すべき状態が発生していると判断された場合には、いずれの表示灯３２ａ、３２ｂが点灯しているかに応じて、第１のソレノイド３３ａ又は第２のソレノイド３３ｂが作動する。ソレノイド３３ａ、３３ｂが作動すると、プランジャーの突出量が増大する。判断部３１によって、注意を喚起すべき状態が発生していないと判断された場合には、２つのソレノイド３３ａ、３３ｂは作動しない。元々作動していない場合は、作動していない状態が維持される。一方、作動していた場合には、突出したプランジャーが元の位置に引っ込められた状態になる。
【００４３】
図４は、本発明の実施形態に係る入浴装置１が備える表示灯３２ａとソレノイド３３ａとの関係を示す概略断面図である。図４は、図１のＡ−Ａ断面図に該当する。また、図４（ａ）はソレノイド３３ａが作動していない状態を示し、図４（ｂ）はソレノイド３３ａが作動している状態を示す。
【００４４】
図４に示すように、浴槽１２の周縁部１２１に設けられる第１の開口部１９ａ内には、第１の表示灯３２ａ及び第１のソレノイド３３ａが配置されている。この両者は、第１の表示灯３２ａが上、第１のソレノイド３３ａが下となる状態で配置されている。第１のソレノイド３３ａが作動していない場合には、第１の表示灯３２ａは、浴槽１２の周縁部１２１上面から突出することなく、第１の開口部１９ａ内に収容されている（図４（ａ）参照）。一方、第１のソレノイド３３ａが作動すると、第１の表示灯３２ａはプランジャー３３０に押し上げられて、浴槽１２の周縁部１２１上面から突出する（図４（ｂ）参照）。
【００４５】
第１の表示灯３２ａが点灯しない場合には、第１のソレノイド３３ａも動作しない。このために、第１の表示灯３２ａは必要がない場合には、浴槽１２の側壁内に収容されていることになり、入浴装置１のデザインを不要に損なわず、また、表示灯３２ａによって入浴者等が怪我をすることを避けられる。一方、第１の表示灯３２ａが点灯する場合には、第１のソレノイド３３ａが作動して、第１の表示灯３２ａは浴槽１２の周縁部１２１から突出する。このために、第１の表示灯３２ａから出射された光は、上方向のみならず、横方向等にも拡散し、介助者に対して注意をより多く喚起させることができる。
【００４６】
なお、第２の開口部１９ｂ内に配置される第２の表示灯３２ｂと第２のソレノイド３３ｂとの関係は、上述の第１の表示灯３２ａと第１のソレノイド３３ａとの関係と同様である。このために、その説明は省略する。
【００４７】
また、開口部１９ａ、１９ｂ内に配置される表示灯３２ａ、３２ｂ及びソレノイド３３ａ、３３ｂは、水に濡れ難いように防水構造とされるのが好ましい。更に、開口部１９ａ、１９ｂには、表示灯３２ａ、３２ｂの突出及び収容動作と連動して開閉する蓋が設けられても構わない。
【００４８】
本実施形態においては、表示灯３２ａ、３２ｂを、浴槽１２の周縁部１２１の長手方向に沿った２つの部分に別々に設けている。このような位置に表示灯３２ａ、３２ｂを配置する理由、及び、２つの表示灯３２ａ、３２ｂの使い分けについて、以下説明する。
【００４９】
図５は、本発明の実施形態に係る入浴装置１において、表示灯３２ａ、３２ｂを、浴槽１２の周縁部１２１の長手方向に沿った２つの部分に別々に設ける理由を説明するための図である。図５に示すように、ストレッチャー２が入浴装置１に対して横付けされた場合（位置決めされた状態で配置された場合）、浴槽１２の周縁部１２１の手前側（ストレッチャー２が横付けされる側）部分は、担架部２４に隠れて見えなくなる。また、浴槽１２の周縁部１２１のうち、短手方向に沿った部分（図５では一方側しか示していないが２つある）も、担架部２４や、担架部２４に載った入浴者の身体で見え難くなる。このために、表示灯は、浴槽１２の周縁部１２１のうち、ストレッチャー２が横付けされる側と反対側（奥側）に配置されるのが好ましい。
【００５０】
なお、表示灯を奥側に配置する場合、単に表示灯を浴槽１２の上面に埋め込み配置すると、表示灯が点灯していることに介助者が気付き難いことが懸念される。この点、本実施形態では、表示灯３２ａ、３２ｂが点灯する場合には、表示灯３２ａ、３２ｂが浴槽１２の周縁部１２１から突出するために、表示灯３２ａ、３２ｂが点灯している状態に介助者が気付かないといった事態が発生し難い。
【００５１】
本実施形態では、ストレッチャー２が入浴装置１の長手方向の２つの側面の両方に横付け可能になっている。このために、上述の奥側が２つある状態になる。このために、２つの表示灯３２ａ、３２ｂを配置している。なお、２つのストレッチャー２が、入浴装置１の別々の側面に同時に横付けされることはない。
【００５２】
ストレッチャー２が、図１の手前側の連結部１７と連結する場合には、第２の開口部１９ｂ内に配置される第２の表示灯３２ｂ及び第２のソレノイド３３ｂが、注意を喚起するために使用される。ストレッチャー２が、図１の奥側の連結部１７と連結する場合には、第１の開口部１９ａ内に配置される第１の表示灯３２ａ及び第１のソレノイド３３ａが、注意を喚起するために使用される。入浴装置１の長手方向の２つの側面のそれぞれに、連結を検知するためのセンサ（第１のマイクロスイッチ３０２ａ及び第２のマイクロスイッチ３０２ｂ）が設けられているために、いずれかの位置にストレッチャー２が存在するかが把握できる。このために、上述のような２つの表示灯３２ａ、３２ｂの使い分けが可能である。使用されない表示灯３２ａ、３２ｂは、浴槽１２の周縁部１２１から突出しないので、担架部２４の移動の際に邪魔になることがない。
【００５３】
なお、いずれの位置にもストレッチャー２が横付けされていない場合には、いずれか一方、場合によっては、両方の表示灯が使用されるようにしてもよい。また、いずれの位置にもストレッチャー２が横付けされていない場合には、別の位置（例えば短手方向に沿った部分）に配置した表示灯が使用されるようにしてもよい。
【００５４】
以上説明したように、本実施形態の入浴装置１においては、表示灯３２ａ、３２ｂは、点灯する場合には浴槽１２の周縁部１２１から突出する。このために、表示灯３２ａ、３２ｂが点灯した状態を介助者が見落とす可能性は低く、事故が発生する確率を低減できる。また、注意を喚起すべき状態が発生せずに表示灯３２ａ、３２ｂが点灯しない場合には、表示灯３２ａ、３２ｂが浴槽１２の周縁部１２１から突出しないので、入浴装置１（浴槽１２）のデザインが損なわれ難い。
【００５５】
なお、以上に示した実施形態は、本発明の例示にすぎない。以上に示した実施形態の構成は、本発明の技術的思想を超えない範囲で適宜変更されて構わない。
【００５６】
例えば、以上に示した実施形態では、入浴装置１の長手方向の２つの側面の両方に、ストレッチャー２が横付け可能な構成とした。しかし、本発明は、このような構成に限らず、例えば、２つの側面の片側にのみストレッチャー２が横付け可能な構成にも適用可能である。この場合、表示灯は１つだけ設けられる構成であってよい。
【００５７】
また、以上に示した実施形態では、浴槽１２の周縁部１２１の長手方向に沿った部分に表示灯が設けられる構成とした。しかし、本発明は、このような構成に限定される趣旨ではなく、特に見え難くならない場合には、浴槽１２の周縁部１２１の短手方向に沿った部分に表示灯が設けられる構成としてもよい。また、表示灯は操作部に設けられても構わない。
【００５８】
また、以上に示した実施形態では、表示灯３２ａ、３２ｂが浴槽１２の周縁部１２１上面から突出する構成とした。しかし、本発明は、このような構成に限定される趣旨ではなく、例えば、表示灯が浴槽１２の側面から突出する構成等であっても構わない。
【００５９】
また、以上に示した実施形態では、表示灯３２ａ、３２ｂは、発光しない状態の場合には、開口部１９ａ、１９ｂ内に収容されて浴槽１２から突出しない構成とした。しかし、本発明は、このような構成に限定される趣旨ではなく、場合によっては、発光しない状態の場合に、表示灯が浴槽１２から突出していても構わない。
【００６０】
また、以上に示した実施形態では、入浴装置１がストレッチャー２と対になって使用される構成とした。しかし、本発明は、ストレッチャーと対になって使用されない入浴装置にも広く適用可能である。また、本実施形態の入浴装置１は、浴槽１２が昇降する構成としたが、支持台１４が昇降する構成でも、本発明の適用は可能である。更に、入浴装置側は入浴用担架を昇降させる機能を備えず、ストレッチャー側が入浴用担架を昇降させる機能を備える構成の場合にも、本発明は適用可能である。
【符号の説明】
【００６１】
１  入浴装置
１２  浴槽
３１  判断部（判断手段）
３２  発光部
３２ａ  第１の表示灯（発光手段）
３２ｂ  第２の表示灯（発光手段）
３３  変動量変更部
３３ａ  第１のソレノイド（突出量変更手段）
３３ｂ  第２のソレノイド（突出量変更手段）
１２１  周縁部
【図１】
2014233464.tif 000003
【図２】
2014233464.tif 000004
【図３】
2014233464.tif 000005
【図４】
2014233464.tif 000006
【図５】
2014233464.tif 000007